(57)【特許請求の範囲】
【請求項１】
重ねあわせた２枚のフィルムを打抜き加工することにより得られる認識ベルトであって、
該２枚のフィルムが該打抜き加工による切断部で互いに貼り合わされており、そして
該フィルムが、ＪＩＳ  Ｋ  ７３１１の試験方法において、６０〜１２０ＪＩＳ  Ａの硬さ、６〜１２ＭＰａの１００％引力応力、および５００〜７００％の伸びを有するポリウレタン樹脂フィルムである、認識ベルト。
【請求項２】
前記フィルムの厚みが同一である、請求項１に記載の認識ベルト。
【請求項３】
前記樹脂フィルムが、さらに、１００〜１５０ＫＮ／ｍの引裂強さを有する、請求項１または２に記載の認識ベルト。
【請求項４】
前記樹脂フィルムが、さらに、２５〜３０ＭＰａの引張強さを有する、請求項１から３のいずれかの項に記載の認識ベルト。
【発明の詳細な説明】
【０００１】
【発明の属する技術分野】
本発明は、樹脂フィルムから製造される、認識ベルトに関する。より詳細には、適切な装着感を得るための種々の性質を有するポリウレタン樹脂フィルムから製造される、認識ベルトに関する。
【０００２】
【従来の技術】
近年、医療機関において、手術、投薬、採血、輸血などの際における患者の取り違えの問題が深刻化している。このような取り違えによる事故を防止するために、患者認識ベルト（以下、認識ベルトをＩＤベルトという）が考案されている。アメリカでは1950年代からＩＤベルトの患者への装着が始められ、現在では全患者に導入されている。一方、日本では、主に新生児と母親とを認識するために用いられていたが、一般患者への導入は、コストがかかるため行われていなかった。しかし、最近の医療事故報道による厳しい社会的批判を受けて、医療事故防止策の１つとしてＩＤベルトの導入を検討する医療機関が増えつつある。
【０００３】
ＩＤベルトには、患者に関する情報（例えば、氏名、血液型など）を記載する必要があるため、当初は紙製のベルトが用いられていた。しかし、紙は破れやすく、特に水に濡れると使用不能になるため、入院期間中装着し続けるべきＩＤベルトとしては好ましくない。そこで、耐水性、強度、およびコストの点で好ましい、軟質塩化ビニル樹脂製のベルトが開発され、現在、主としてこの製品が用いられている。塩化ビニル樹脂は上記のような利点を有するが、廃棄の際に環境問題を引き起こす（例えば、燃焼によってダイオキシンが発生する）。また、入浴による温度変化によって、ベルトが硬化することがあり、使用感が悪い。さらに硬化したベルトの端で皮膚に傷がつき、患者に苦痛を与えるとともに望ましくない感染を引き起こす可能性もある。
【０００４】
また、最近、テーマパーク、遊園地、イベント会場などの施設においてＩＤベルトの利用が増加している。例えば、入場券、乗車券などのかわりに、客の手首にベルトを装着させることによって、券の紛失を防止するとともに、よりスムーズに券の種別を確認することもできる。このような場所で使用されているベルトも、上記のように病院で使用されているものと同様に、耐水性、強度、およびコストの点で塩化ビニル樹脂製が採用されている。しかし、装着感が悪く、評判はあまり芳しくない。
【０００５】
【発明が解決しようとする課題】
そこで、耐水性、撥水性、強度、および柔軟性があり、皮膚にやさしく、装着感がよく、かつ環境問題を引き起こさないＩＤベルトの開発が望まれている。
【０００６】
【課題を解決するための手段】
本発明は、ＪＩＳ  Ｋ  ７３１１の試験方法において、６０〜１２０ＪＩＳ  Ａの硬さ、６〜１２ＭＰａの１００％引力応力、および５００〜７００％の伸びを有する樹脂フィルムを用いて製造される、認識ベルト（ＩＤベルト）を提供する。
【０００７】
好ましい実施態様では、上記樹脂フィルムは、さらに、１００〜１５０ＫＮ／ｍの引裂強さを有する。
【０００８】
好ましい実施態様では、上記樹脂フィルムは、さらに、２５〜３０ＭＰａの引張強さを有する。
【０００９】
好ましい実施態様では、上記樹脂フィルムは、熱可塑性ポリウレタン樹脂フィルムである。
【００１０】
このような性質を有する熱可塑性ポリウレタン樹脂フィルムを用いて製造されるＩＤベルトは、耐水性、撥水性、強度、および柔軟性があり、入浴などを行っても硬くならないなど、皮膚にやさしく、装着感がよく、かつ環境問題を引き起こさないという、優れた性質を有する。
【００１１】
【発明の実施の形態】
認識ベルト（ＩＤベルト）とは、個体の腕、足など、個体の身体に直接的に装着するためのベルトである。特に、病院においては、個体（患者）の取り違え防止のために使用され得る。ＩＤベルトは、一般に、個体の身体の一部に巻きつけて装着される。装着される部位は、ＩＤベルトが簡単に抜け落ちない部位であれば特に限定されないが、腕および足が好ましく、手首および足首が特に好ましい。
【００１２】
本発明のＩＤベルトは、ポリウレタン樹脂フィルムを材料として用いて製造される。ＩＤベルトの厚さは、樹脂フィルムの厚さに依存し、好ましくは約0.2mm〜約0.8mm、より好ましくは約0.4mm〜約0.6mmである。樹脂フィルムが厚いと、重くなるため違和感が増し、逆に薄いと、強度の点で不利になる。樹脂フィルムは１枚でもよいし、複数枚重ね合わせたものでもよい。好ましくは、２枚重ねであり、より好ましくは約0.2mmの樹脂フィルムを２枚重ねて用いる。
【００１３】
また、本発明のＩＤベルトは、手首、足首などを動かした際に違和感を生じないように、適度の伸縮性を有するものが好ましい。例えば、上記のような厚さを有するフィルムを２枚重ねたＩＤベルトの場合、打抜きによって型を抜き取ると同時に、切断部で２枚が貼り合わされる。貼り合わされた部分は、フィルム１枚のみの場合に比べて伸びが小さくなるので、製造されたベルト全体としての伸びも小さくなる。したがって、使用されるフィルムは、製造されたベルトとして、適切な伸びを示すフィルムが選択される。
【００１４】
本発明のＩＤベルトに使用される樹脂フィルムとしては、ＪＩＳ  Ｋ  ７３１１の試験方法において、６０〜１２０ＪＩＳ  Ａの硬さ、６〜１２ＭＰａの１００％引力応力、および５００〜７００％の伸びを有するものであれば、特に限定されない。好ましくは、さらに、１００〜１５０ＫＮ／ｍの引裂強さ、および／または２５〜３０ＭＰａの引張強さを有するものが好ましい。
【００１５】
硬さについては、ＪＩＳ  Ｋ  ７３１１の試験方法において、６０〜１２０ＪＩＳ  Ａ、好ましくは８０〜１００ＪＩＳ  Ａ、より好ましくは８５〜９５ＪＩＳ  Ａである。硬すぎると、装着後に手足を動かすのに邪魔になり、また柔らかすぎると、ベルトとしての形状を保持しにくくなり、好ましくない。
【００１６】
１００％引力応力については、ＪＩＳ  Ｋ  ７３１１の試験方法において、６〜１２ＭＰａである。この範囲を外れると、装着時に十分なフィット感が得られず、締めつけ感がある、はずれやすくなるなどの問題が生じる虞がある。好ましくは８〜１０ＭＰａ、より好ましくは８．５〜９．５ＭＰａである。
【００１７】
伸びについては、５００〜７００％、好ましくは５５０〜６８０％、より好ましくは６００〜６５０％である。大きすぎると装着部位から伸ばしてはずすことが可能なので、例えば、患者認識ベルトとして使用する場合に好ましくない。逆に伸びが小さすぎると、身体を動かした際に違和感を生じる原因となり、好ましくない。
【００１８】
さらに、引裂強さおよび引張強さについては、小さすぎると耐久性が弱くなり好ましくない。
【００１９】
また、本発明のＩＤベルトに使用される樹脂フィルムの種類としては、好ましくは、熱可塑性のポリウレタン樹脂フィルムである。これらのフィルムは、市販のものを用いることができる。
【００２０】
本発明のＩＤベルトは、例えば、図１に示すような形状であり得る。ＩＤベルトの大きさは、個体の体格および装着部位に合わせて、小児用、成人用など、その長さおよび幅が異なっていてもよい。好ましくは、ＩＤベルトを巻いて固定した際に、ＩＤベルトが簡単に抜け落ちない程度の長さである。その長さを、個体に応じて調節するための手段が施されていることが好ましい。また、本発明のＩＤベルトの幅は、好ましくは、個体についての情報を記録し得、そして手、腕などを動かして邪魔にならない程度の幅である。
【００２１】
ＩＤベルトには、種々の色彩が付されている方が見分けやすさの点で便利である。例えば、血液型別に色分けすると、輸血時などに血液型を誤認することを予防できる。また、血液型が未決定の場合は、別の色を付すことができる。
【００２２】
ＩＤベルトは、ＩＤベルトを装着部位に固定するための手段が備えられていることが好ましい。さらに、ＩＤベルトは、個体の装着部位に応じて、適切な長さに調節可能であることが望ましい。例えば、図１に示すＩＤベルト１は、ＩＤベルト本体１１およびベルト固定手段から構成される。ＩＤベルト１において、ベルト固定手段は、長さ調節用穴１１０、ベルト固定用折り返し部１２、および留め具２である。ここで、留め具２は、両端を噛み合わせることによって固定できる形状（ホック状）のものである。具体的には、ＩＤベルト本体１１の一方の端部に、留め具２およびベルト固定用折り返し部１２があり、他方の端には、長さ調節用穴１１０が複数個あけられている。この穴１１０のうちの適切な１つの穴および折り返し部１２の固定用穴１２０に、留め具２を通して固定する。これによって、個体の装着部位に合わせてベルトの長さを調節しかつ固定できる。このような固定手段および調節手段は、装着する個体の使用感（例えば、皮膚への刺激、違和感など）に影響を及ぼさなければ、どのような手段、形状、および材質であってもよく、特に限定されない。例えば、ＩＤベルトの一方の端部にあけられた穴に、他方の端部を通して折り返し、その折り返した端部を留め具で固定してもよい。
【００２３】
本発明のＩＤベルトには、装着した際に外側になる面に、個体についての情報、例えば、病院で患者に装着させる場合は、患者の属性および患者の性別、氏名、血液型、ＩＤ番号などが記録される。記録面には、このようなデータが貼り付けられてもよい。情報は、水濡れなどを考慮すると、油性のペンまたはインキが好ましく用いられる。ペンで手書きしてもよいし、コンピュータと連動させてインキなどを使用して印刷してもよい。文字、記号、バーコードなど、情報の表現手段は特に限定されない。例えば、バーコ−ドで記載された患者情報は、バーコードリーダーで読み取られ、確認される。また、ＩＤベルトに型押ししてもよい。あるいは、認識ベルトに、情報が記録された半導体チップが埋め込まれていてもよい。さらに、情報表現手段として、種々の色のＩＤベルトを使用してもよい。
【００２４】
また、本発明のＩＤベルトを装着する個体が、アトピー性皮膚炎のようなアレルギー性皮膚炎を有する場合もある。そのため、本発明のＩＤベルトとして用いられる樹脂は、アレルギー症状をできる限り誘発しないような樹脂が選択されるべきである。
【００２５】
本発明のＩＤベルトは、どのような方法で任意の形状に成形してもよいが、例えば、打抜き加工によって、上記の樹脂フィルムから製造される。例えば、加工時に、１本ずつばらばらにされてもよいし、シート状につながったままで製造され、使用直前に手で切り離すように加工されていてもよい。個人情報を入力し、印刷された後で、機械的に切断される構成でもよい。
【００２６】
【実施例】
厚さ0.2mmのポリウレタン樹脂フィルムシートＤＵＳ４３３（日本ミラクトン（株）製）を用いて、装着時に外側になる方に着色シートを内側になる方に無着色シートをおき、２枚重ねたまま、図１に示すような型に打抜き加工した。ただし、この加工は、完全には打抜かれておらず、ＩＤベルト本体と他の不要部分とがまだつながっており、手で切り離すことができるような加工であった。この加工を、縦方向に連続的に行って、ロール状にし、使用直前にロールから１本ずつ取り出した。株式会社サトウ製の印刷機を使用して、ベルトを装着する患者に関する情報をＩＤベルトに印刷した。その後、ナックス（株）製の留め具（図１における参照番号２）を、ＩＤベルトシートの留め具用穴に取り付けて、本発明のＩＤベルトを作成した。
【００２７】
ポリウレタン樹脂製および塩化ビニル樹脂製（従来品：プレシジョンダイナミックス社製）のＩＤベルトを、国立循環器病センター（大阪府吹田市）の入院患者各５名ずつの片方の手首に装着し、装着後１０日目にその使用感について、以下の項目を聞き取り調査した。
【００２８】
すなわち、皮膚への刺激、皮膚との接触感、重量感、違和感、および水濡れ後の感触について、５段階で、良好（＋２）、やや良好（＋１）、どちらともいえない（０）、やや不良（−１）、および不良（−２）の基準で評価してもらい、その合計値を求めた。結果を表１に示す。
【００２９】
【表１】
0003715523.tif 000002
【００３０】
表から、本発明のＩＤベルトは、従来品（塩化ビニル樹脂製）と比べて使用感に優れていることがわかった。
【００３１】
【発明の効果】
本発明のＩＤベルトは、耐水性、撥水性、強度、および柔軟性があり、皮膚にやさしく、そして装着感がよいため、乳幼児から老人までのあらゆる層の個体に使用可能である。しかも、本発明のＩＤベルトは、廃棄の際にダイオキシンが発生しないため、環境問題を引き起こさない。
【図面の簡単な説明】
【図１】本発明のＩＤベルトの形状の一例を示す図である。
【符号の説明】
１      認識ベルト
１１    認識ベルト本体
１１０  長さ調節用穴
１２    ベルト固定用折り返し部
１２０  ベルト固定用穴
２      留め具
【図１】
0003715523.tif 000003